(57)【要約】【課題】真空掃除機の本体の後方に排出される空気の圧力で隅部や隙間部位に蓄積された塵などを外側に吹き出した後、本体の前方の備えられる吸入部を介して吸入できるようにすることで、掃除効率を更に向上させえるようにした送風真空掃除機を提供する。【解決手段】吸気モータを介して外部の空気が吸気される真空掃除機の内部の後方部に密閉空間部を備え、その密閉空間部に送風ノズルが結合される排気孔を備えることを特徴とする。【選択図】  図２
2004202185.tif 000002
【特許請求の範囲】
【請求項１】
本体１１の内部の後方部に吸気モータ１２が設けられ、本体１１の内部の前方部に塵濾し網１３が設けられる真空掃除機１０において、
吸気モータ１２が設けられる本体１０の内部の後方部を密閉空間部１５で構成し、その密閉空間部１５の後方に送風ノズル１７が着脱自在に結合される排気孔１６を備えることを特徴とする送風真空掃除機。
【請求項２】
排気孔１６の入口側に結合管１８を備え、この結合管１８に排気孔１６に排出される排気圧力によって内部の溶液が排気孔１６に排出され得るようにする噴霧器１９を着脱自在に設けることを特徴とする請求項１記載の送風真空掃除機。
【請求項３】
密閉空間部１８の外表面に多数の第２排気孔２０を形成し、その前方に第２排気孔２０と対応する連結孔２２を有するシャッター板２１を左右方向に移送自在に設けることを特徴とする請求項１又は請求項２記載の送風真空掃除機。
【発明の詳細な説明】
【０００１】
【発明の属する技術分野】
本発明は吸気モータを介して本体の内部に吸入される外部の空気を一つの場所に集め、強力な送風力で排出させ得るようにした送風真空掃除機に関する。
【０００２】
【従来の技術】
一般に、真空掃除機は、本体の内部の後方部に設けられる吸気モータを介して本体の内部の前方部を真空の状態にすることで、外部の空気と共に塵などを吸入するものであって、吸気モータを介して吸入された外部の空気に含まれた塵は、塵濾し網、又は塵槽に蓄積され、塵が除去された空気は、本体の内部の後方部に形成された空気排出孔を介して本体の外部に排出される。
【０００３】
一方、韓国登録実用新案公報第２０−０２９５７０９号には、送風通路に火消しのための消火粉末や水などの様々な材料を入れる多機能槽を設け、多機能槽と接続する送風通路に開閉バルブを設けた多機能真空掃除機が開示されている。
【０００４】
また、韓国登録実用新案公報第２０−０２０５４５０号には、吸入管の内部に小さい口径のチューブを設け、吸入モータから排出された空気を前記小さい口径のチューブに誘導して、底面に塵を吹き出しながら吸入できるようにした真空掃除機が開示されている。
【０００５】
【発明が解決しようとする課題】
しかしながら、  従来の真空掃除機で底面などを掃除時に隅部や隙間部位に塵などがある場合、吸気ノズルを塵蓄積部位に近接させられないため、吸入力がそこまで至らず、塵などが除去し難いという問題がある。
【０００６】
また韓国登録実用新案公報第２０−０２９５７０９号の多機能真空掃除機は、多機能槽に接続する送風通路を開閉するバルブを別途のスイッチを介して制御し、多機能槽に入れた消火粉末や水などを外部に排出させることで、消火器や如雨露の役割を果たせるようにしたものであるが、隅部や隙間部位に積もっている塵などを外側に吹き出して、掃除の効率を高める機能は奏していない。
【０００７】
また韓国登録実用新案公報第２０−０２０５４５０号に記載された真空掃除機は、吸入管の先端部で送風及び吸入が同時に行われるため、底面に積もった状態の塵などが吸入されるよりは、送風力によって散らばる傾向が大きく、掃除の効率が劣るという問題がある。
【０００８】
そこで、本発明は、上記のような関連技術の実状に鑑みて成されたもので、その目的という所は、真空掃除機の本体の後方に排出される空気の圧力で隅部位や隙間部位に蓄積された塵などを外側に吹き出した後、本体の前方の備えられる吸入部を介して吸入できるようにすることで、掃除効率を更に向上させえるようにした送風真空掃除機を提供することにある。
【０００９】
【課題を解決するための手段】
上記目的を達成するために、本発明は、吸気モータを介して外部の空気が吸気される真空掃除機の内部の後方部に密閉空間部を備え、その密閉空間部に送風ノズルが結合される排気孔を備えることを特徴としている。
【００１０】
【発明の実施の形態】
以下、本発明の具体的な技術内容を添付の図面に基づいて詳細に説明する。
【００１１】
図１乃至図４は本発明の一実施形態を示しており、本発明は、本体１１の内部の後方部に吸気モータ１２が設けられ、本体１１の内部の前方に塵濾し網１３が設けられる真空掃除機１０において、吸気モータ１２が設けられる本体１０の内部の後方部を密閉空間部１５で構成し、密閉空間部１５の後方に送風ノズル１７が着脱自在に結合される排気孔１６を備えてなるものである。
【００１２】
図示の実施形態では、排気孔１６の入口側に結合管１８を備え、この結合管１８に排気孔１６に排出される排気圧力によって内部の溶液が排気孔１６に排出され得るようにする噴霧器１９を着脱自在に設けた形態を有すると共に、密閉空間部１８の外表面に多数の第２排気孔２０を形成し、その前方の第２排気孔２０と対応する連結孔２２を有するシャッター板２１を左右方向に移送自在に設けた形態を有する。
【００１３】
未説明の符号１４は吸気ファンで、２３は噴霧連結管である。
【００１４】
上記のように構成された本発明においては、図３のように、シャッター板２１に第２排気孔２０を密閉する場合、吸気モータ１２を介して吸入される外部の空気が密閉空間部１５の排気孔１６にのみ排出されるため、強力な送風力が得られるものであって、送風ノズル１７に排出される強い風で隅部位や隙間部位に蓄積された塵などを吸入の容易な場所に吹き出して、効率よく取り除くことができる。
【００１５】
また、本発明においては、排気孔１６の入口側に備えた結合管１８に洗滌水などを入れた噴霧器１９を結合する場合、排気孔１６に排出される空気の圧力によって噴霧器１９の洗滌水が強い風と共に噴射され、自動車の外表面や室内の底面などを洗滌できる。
【００１６】
一方、排気孔１６を介した送風力を利用しない時には送風ノズル１７を分離することができ、図４のように、シャッター管２１を一側に移送させ、第２排気孔２０を開放すると、多数の排気孔２０を介して密閉空間部１５の空気を排出させられるので、吸気モータ１２の負荷を低減することができる。
【００１７】
【発明の効果】
以上説明したように、本発明は、吸気モータ１２が設けられる本体１１の内後方部を密閉空間部１５で構成し、密閉空間部１５の後方に強い風が排出される排気孔１６を形成したものであって、本発明によれば、隅部や隙間部位に蓄積された塵などを吹き出して簡単に取り除くことができるのみならず、排気孔１６の入口側に噴霧器１９を結合する場合、強い圧力で洗滌水を噴射できるので、底面などが更に効率的に洗滌可能な効果が得られる。
【図面の簡単な説明】
【図１】本発明の一実施形態の斜視図である。
【図２】同実施形態の縦断面図である。
【図３】同実施形態の第２排気孔が密閉された状態の要部横断面図である。
【図４】同実施形態の第２排気孔が開放された状態の要部横断面図である。
【符号の説明】
１０：送風真空掃除機
１１：本体
１２：吸気モータ
１３：塵濾し網
１５：密閉空間部
１６：排気孔
１７：送風ノズル
１８：結合管
１９：噴霧器
２０：第２排気孔
２１：シャッター板
２２：連結孔
【図１】
2004202185.tif 000003
【図２】
2004202185.tif 000004
【図３】
2004202185.tif 000005
【図４】
2004202185.tif 000006